(57)【要約】【課題】  オーディオ信号処理装置において、２チャンネルのディジタルオーディオ信号を出力する場合、入力チャンネル数の設定を自動的に切り換え、ダウンミックス処理を要さずに出力する。【解決手段】  オーディオ信号処理装置において、マルチチャンネルのディジタルオーディオ信号を入力するか２チャンネルのディジタルオーディオ信号を入力するかを設定するディジタルオーディオ信号入力設定部と、マルチチャンネルのディジタルオーディオ信号を出力するか２チャンネルのディジタルオーディオ信号を出力するか選択するディジタルオーディオ信号出力選択部と、ディジタルオーディオ信号入力設定部の設定がマルチチャンネルのディジタルオーディオ信号の入力であってディジタルオーディオ信号出力選択部が２チャンネルのオーディオ信号を選択した場合、ディジタルオーディオ信号入力設定部に２チャンネルのディジタルオーディオ信号を設定させる制御部を備えた。【選択図】      図１
2007104159.tif 000002
【特許請求の範囲】
【請求項１】
マルチチャンネルのディジタルオーディオ信号を入力するか２チャンネルのディジタルオーディオ信号を入力するかを設定するディジタルオーディオ信号入力設定部と、マルチチャンネルのディジタルオーディオ信号を出力するか２チャンネルのディジタルオーディオ信号を出力するかを選択するディジタルオーディオ信号出力選択部と、前記ディジタルオーディオ信号入力設定部の設定がマルチチャンネルのディジタルオーディオ信号の入力であって前記ディジタルオーディオ信号出力選択部が２チャンネルのオーディオ信号を選択した場合、前記ディジタルオーディオ信号入力設定部に２チャンネルのディジタルオーディオ信号を設定させる制御部を備えたことを特徴とするオーディオ信号処理装置。
【発明の詳細な説明】
【技術分野】
【０００１】
本発明は、ＡＶ(Audio Visual)アンプ装置等のオーディオ信号処理装置に関する。
【背景技術】
【０００２】
図３は、従来のオーディオ信号処理装置の一例の構成を示すブロック図である。入力部１０は、ディジタルオーディオ入力部１００１、ＨＤＭＩ(High-Definition Multimedia Interface)入力部１００２、アナログオーディオ入力部１００３、アナログ映像入力部１００４を備え、外部のオーディオ再生装置等から各々の入力端子に接続された伝送線を介してオーディオ信号処理装置内に各信号を入力する。ディジタルオーディオ入力部１００１は、ディジタルオーディオ信号を入力する。ＨＤＭＩ入力部１００２は、ディジタル映像信号及びディジタルオーディオ信号を入力し復調する。ＨＤＭＩ入力部１００２は、設定部１００２ａを備える。設定部１００２ａは、入力されるディジタルオーディオ信号のチャンネル数を設定する。アナログオーディオ入力部１００３は、アナログオーディオ信号を入力する。アナログ映像入力部１００４は、アナログ映像信号を入力する。
【０００３】
ＤＩＲ(Digital Interface Receiver)１１は、ディジタルオーディオ入力部１００１が入力したディジタルオーディオ信号を復調する。ビデオエンコーダ１２は、ＨＤＭＩ入力部１００２が入力したディジタル映像信号をアナログ映像信号に変換する。ＡＤ(Analog to Digital)コンバータ(ＡＤＣ)１３は、アナログオーディオ入力部１００３が入力したアナログオーディオ信号をディジタルオーディオ信号に変換する。ディジタル信号処理部(ＤＳＰ(Digital Signal Processor))１４は、ＤＩＲ１１が復調したディジタルオーディオ信号、ＨＤＭＩ入力部１００２が入力したディジタルオーディオ信号、又はＡＤＣ１３が変換したディジタルオーディオ信号を復調する。
【０００４】
ＤＳＰ１４は、サラウンドオーディオ再生を行う場合、８チャンネルのディジタルサラウンドオーディオ信号を生成し、複数系統(マルチチャンネル)のディジタルオーディオ信号として出力する。ＤＳＰ１４は、２チャンネルのオーディオ再生を行う場合、入力されるディジタルオーディオ信号をダウンミックス処理して２チャンネルのディジタルオーディオ信号として出力する。ダウンミックス処理は、入力されるディジタルオーディオ信号の各チャンネルのオーディオ信号に予め設定された係数を乗算し各乗算値を加算することによって行われる。
【０００５】
ＤＡＣ１６は、ＤＳＰ１４から入力されたディジタルオーディオ信号をアナログオーディオ信号に変換する。アンプ１７は、ＤＡＣ１６が変換したアナログオーディオ信号を増幅して、各チャンネルの出力端子に接続されたスピーカに出力する。アナログ映像出力部１８は、ビデオエンコーダ１２が変換したアナログ映像信号、又はアナログ映像入力部１００４が入力したアナログ映像信号を、出力端子に接続された映像表示装置に出力する。
マイクロコンピュータ(マイコン)１５は、ＤＩＲ１１、ＨＤＭＩ入力部１００２、ＤＳＰ１４、アナログ映像出力部１８の動作を制御する。
ＨＤＭＩ出力部１９は、ＨＤＭＩ入力部１００２が入力したディジタルオーディオ信号及びディジタル映像信号を、ＨＤＭＩ出力部１９の出力端子に接続された外部のＨＤＭＩモニタ２０に、出力する。
【０００６】
図４は、従来のオーディオ信号処理装置の動作の一例を示すフローチャートである。オーディオ信号処理装置の電源スイッチが入れられる(ＯＮにされる)と(ＳＴ１)、マイコン１５は、オーディオ信号をＨＤＭＩ出力部１９に出力するか否かを確認する(ＳＴ２)。ＳＴ２で確認された結果、ＨＤＭＩ出力部１９への出力であった場合(ＳＴ２でＹｅｓ)、マイコン１５は、ＤＳＰ１４を制御して、ＤＳＰ１４のオーディオ信号の出力を停止し、ＨＤＭＩ出力部１９にオーディオ信号を出力し(ＳＴ８)、オーディオ信号の入力が終了されるまで(ＳＴ９でＹｅｓ)出力して、終了する。
【０００７】
ＳＴ２で確認された結果、ＨＤＭＩ出力部１９への出力ではない場合(ＳＴ２でＮｏ)、マイコン１５は、設定部１００２ａをマルチチャンネル(ＭＣＨ)に設定し(ＳＴ３)、マルチチャンネル出力を行うか２チャンネル(２ＣＨ)出力を行うかを確認する(ＳＴ４)。ＳＴ４で確認された結果、マルチチャンネル出力を行う場合(ＳＴ４でＮｏ)、マイコン１５は、ＤＳＰ１４の出力をマルチチャンネルに設定し(ＳＴ１０)、ＤＳＰ１４は、マルチチャンネルのディジタルオーディオ信号を生成して出力し(ＳＴ１１)、 ディジタルオーディオ信号の入力が終了されるまでの間(ＳＴ１２でＮｏ)、ＳＴ４の確認処理を行い、ディジタルオーディオ信号の入力が終了されると(ＳＴ１２でＹｅｓ)、終了する。ＳＴ４で確認された結果、２チャンネル出力を行う場合(ＳＴ４でＹｅｓ)、マイコン１５は、ＤＳＰ１４の出力を２チャンネルに設定し(ＳＴ５)、ＤＳＰ１４は、入力されるディジタルオーディオ信号をダウンミックス処理して２チャンネルのディジタルオーディオ信号を出力し(ＳＴ６)、 ディジタルオーディオ信号の入力が終了されるまでの間(ＳＴ７でＮｏ)、ＳＴ４の確認処理を行い、ディジタルオーディオ信号の入力が終了されると(ＳＴ７でＹｅｓ)、終了する。
【０００８】
このように、マルチチャンネルのオーディオ信号を２チャンネルのオーディオ信号にダウンミックス処理して再生するオーディオ信号処理装置があった(特許文献１参照)。
【０００９】
【特許文献１】特開２００４−１７０６１０公報
【発明の開示】
【発明が解決しようとする課題】
【００１０】
従来のオーディオ信号処理装置において、ＤＳＰの出力チャンネル数が２チャンネルに設定されているとき、設定部１００２ａを２チャンネルに切り換えず、マルチチャンネルのディジタルオーディオ信号をダウンミックス処理して出力する装置があった。当該装置では、マルチチャンネルのディジタルオーディオ信号を入力し、２チャンネルのディジタルオーディオ信号を出力する場合、ダウンミックス処理によって出力される再生音の音質が変化することがあった。
【００１１】
特許文献１の装置は、ダウンミックス処理を行うことができるが、使用者の使用形態に応じて、オーディオ信号のチャンネル数を自動的に切り換える機能は備えていなかった。
【００１２】
本発明の目的は、オーディオ信号処理装置において、マルチチャンネルのオーディオ信号が入力され、２チャンネルのディジタルオーディオ信号を出力するとき、自動的に入力チャンネル数の設定を２チャンネルのディジタルオーディオ信号に切り換えて、ダウンミックス処理を行う機能を備えるオーディオ信号処理装置であっても、ダウンミックス処理による音質の変化を抑制して、２チャンネルのディジタルオーディオ信号を出力することができる装置を提供することにある。
【課題を解決するための手段】
【００１３】
本発明の請求項１に記載のオーディオ信号処理装置は、マルチチャンネルのディジタルオーディオ信号を入力するか２チャンネルのディジタルオーディオ信号を入力するかを設定するディジタルオーディオ信号入力設定部と、マルチチャンネルのディジタルオーディオ信号を出力するか２チャンネルのディジタルオーディオ信号を出力するかを選択するディジタルオーディオ信号出力選択部と、前記ディジタルオーディオ信号入力設定部の設定がマルチチャンネルのディジタルオーディオ信号の入力であって前記ディジタルオーディオ信号出力選択部が２チャンネルのオーディオ信号を選択した場合、前記ディジタルオーディオ信号入力設定部に２チャンネルのディジタルオーディオ信号を設定させる制御部を備えたものである。
【発明の効果】
【００１４】
本発明のオーディオ信号処理装置によれば、マルチチャンネルのオーディオ信号が入力され、２チャンネルのディジタルオーディオ信号を出力するとき、自動的に入力チャンネル数の設定を２チャンネルのディジタルオーディオ信号に切り換え、ダウンミックス処理による音質の変化を抑制して、２チャンネルのディジタルオーディオ信号を出力することができる。
【発明を実施するための最良の形態】
【００１５】
図１は、本発明のオーディオ信号処理装置の一実施例の構成を示すブロック図である。入力部１０は、ディジタルオーディオ入力部１００１、ＨＤＭＩ入力部１００２、アナログオーディオ入力部１００３、アナログ映像入力部１００４を備え、外部のオーディオ再生装置等から各々の入力端子に接続された伝送線を介してオーディオ信号処理装置内に各信号を入力する。ディジタルオーディオ入力部１００１は、ディジタルオーディオ信号を入力する。ＨＤＭＩ入力部１００２は、ディジタル映像信号及びディジタルオーディオ信号を入力し復調する。ＨＤＭＩ入力部１００２は、設定部１００２ａを備える。設定部１００２ａは、入力されるディジタルオーディオ信号のチャンネル数の設定値を記憶する。アナログオーディオ入力部１００３は、アナログオーディオ信号を入力する。アナログ映像入力部１００４は、アナログ映像信号を入力する。
【００１６】
ＤＩＲ１１は、ディジタルオーディオ入力部１００１が入力したディジタルオーディオ信号を復調する。ビデオエンコーダ１２は、ＨＤＭＩ入力部１００２が入力したディジタル映像信号をアナログ映像信号に変換する。ＡＤＣ１３は、アナログオーディオ入力部１００３が入力したアナログオーディオ信号をディジタルオーディオ信号に変換する。ＤＳＰ１４は、ＤＩＲ１１が復調したディジタルオーディオ信号、ＨＤＭＩ入力部１００２が入力したディジタルオーディオ信号、又はＡＤＣ１３が変換したディジタルオーディオ信号を復調する。し、サラウンドオーディオ再生を行う場合、８チャンネルのディジタルサラウンドオーディオ信号を生成する。ＤＳＰ１４は、サラウンドオーディオ再生を行う場合、８チャンネルのディジタルサラウンドオーディオ信号を生成し、マルチチャンネルのディジタルオーディオ信号として出力する。ＤＳＰ１４は、２チャンネルのオーディオ再生を行う場合、２チャンネルのディジタルオーディオ信号として出力する。
【００１７】
ＤＡＣ１６は、ＤＳＰ１４から入力されたディジタルオーディオ信号をアナログオーディオ信号に変換する。アンプ１７は、ＤＡＣ１６が変換したアナログオーディオ信号を増幅して、各チャンネルの出力端子に接続されたスピーカに出力する。アナログ映像出力部１８は、ビデオエンコーダ１２が変換したアナログ映像信号、又はアナログ映像入力部１００４が入力したアナログ映像信号を、出力端子に接続された映像表示装置に出力する。
【００１８】
マイコン１５は、ＤＩＲ１１、ＨＤＭＩ入力部１００２、ＤＳＰ１４、アナログ映像出力部１８の動作を制御する。マイコン１５は、チャンネル数制御部１５ａ、ダウンミックス制御部１５ｂ、入力設定検出部１５ｃを備える。チャンネル数制御部１５ａは、設定部１００２ａの入力チャンネル数の設定、及びＤＳＰ１４の出力チャンネル数の設定を行う。設定部１００２ａの入力チャンネル数が設定されることにより、ＨＤＭＩ入力部１００２の入力端子に接続されたオーディオ再生装置等にＨＤＭＩ伝送線を介して設定値が伝送され、設定値に応じたチャンネル数のディジタルオーディオ信号が、ＨＤＭＩ入力部１００２の入力端子に接続されたオーディオ再生装置等からＨＤＭＩ入力部１００２に入力される。ダウンミックス制御部１５ｂは、ＤＳＰ１４にダウンミックス処理を行わせるか否かを制御する。入力設定検出部１５ｃは、設定部１００２ａに設定された入力チャンネル数を検出する。ＨＤＭＩ出力部１９は、ＨＤＭＩ入力部１００２が入力したディジタルオーディオ信号及びディジタル映像信号を、ＨＤＭＩ出力部１９の出力端子に接続された外部のＨＤＭＩモニタ２０に、出力する。
【００１９】
図２は、本発明のオーディオ信号処理装置の一実施例の動作を示すフローチャートである。オーディオ信号処理装置の電源スイッチが入れられる(ＯＮにされる)と(Ｓ１)、マイコン１５は、オーディオ信号をＨＤＭＩ出力部１９に出力する操作がなされたか否かを確認する(Ｓ２)。Ｓ２での確認の結果、ＨＤＭＩ出力部１９に出力する場合(Ｓ２でＹｅｓ)、マイコン１５は、ＤＳＰ１４を制御して、ＤＳＰ１４からディジタルオーディオ信号を出力せず、ＨＤＭＩ出力部１９にディジタルオーディオ信号を出力することとして(Ｓ８)、ディジタルオーディオ信号の入力が終了されるまで(Ｓ９でＹｅｓ)出力して、終了する。
【００２０】
Ｓ２での確認の結果、ＨＤＭＩ出力部１９に出力しない場合(Ｓ２でＮｏ)、マイコン１５は、ＤＳＰ１４がディジタルオーディオ信号のマルチチャンネル(ＭＣＨ)出力を行うか２チャンネル(２ＣＨ)出力を行うかを確認する(Ｓ３)。Ｓ３での確認の結果、マルチチャンネル出力である場合(Ｓ３でＮｏ)、チャンネル数制御部１５ａは、ＤＳＰ１４の出力をマルチチャンネルに設定し(Ｓ１０)、ＤＳＰ１４は、マルチチャンネルのディジタルオーディオ信号を生成して出力し(Ｓ１１)、 ディジタルオーディオ信号の入力が終了されるまでの間(Ｓ１２でＮｏ)、Ｓ３の確認処理を行い、ディジタルオーディオ信号の入力が終了されると(Ｓ１２でＹｅｓ)、終了する。
【００２１】
Ｓ３での確認の結果、２チャンネル出力である場合(Ｓ３でＹｅｓ)、マイコン１５は、ＤＳＰ１４がダウンミックス処理を行うか否かを確認する(Ｓ４)。Ｓ４での確認の結果、ダウンミックス処理を行う場合(Ｓ４でＹｅｓ)、チャンネル数制御部１５ａはＤＳＰ１４の出力を２チャンネルに設定し、ダウンミックス制御部１５ｂはＤＳＰ１４がダウンミックス処理を行うように設定する(Ｓ１３)。ＤＳＰ１４は、入力されるディジタルオーディオ信号をダウンミックス処理して２チャンネルのディジタルオーディオ信号を出力し(Ｓ１４)、 ディジタルオーディオ信号の入力が終了されるまでの間(Ｓ１５でＮｏ)、Ｓ３の確認処理、及びＳ３でＹｅｓであるときＳ４の確認処理を行い、ディジタルオーディオ信号の入力が終了されると(Ｓ１５でＹｅｓ)、終了する。
【００２２】
Ｓ４での確認の結果、ダウンミックス処理でない場合(Ｓ４でＮｏ)、チャンネル数制御部１５ａは、設定部１００２ａの入力チャンネル数を２チャンネルに設定し、ＤＳＰ１４の出力を２チャンネルに設定し、ダウンミックス制御部１５ｂはＤＳＰ１４がダウンミックス処理を行わないように設定する(Ｓ５)。ＤＳＰ１４は、入力される２チャンネルのディジタルオーディオ信号を出力し(Ｓ６)、 ディジタルオーディオ信号の入力が終了されるまでの間(Ｓ７でＮｏ)、Ｓ３の確認処理、及びＳ３でＹｅｓであるときＳ４の確認処理を行い、ディジタルオーディオ信号の入力が終了されると(Ｓ７でＹｅｓ)、終了する。
【図面の簡単な説明】
【００２３】
【図１】本発明のオーディオ信号処理装置の一実施例の構成を示すブロック図である。
【図２】本発明のオーディオ信号処理装置の一実施例の動作を示すフローチャートである。
【図３】従来のオーディオ信号処理装置の一例の構成を示すブロック図である。
【図４】従来のオーディオ信号処理装置の動作の一例を示すフローチャートである。
【符号の説明】
【００２４】
１  オーディオ信号処理装置
１０  入力部
１１  ＤＩＲ
１２  ビデオエンコーダ
１３  ＡＤＣ
１４  ＤＳＰ
１５  マイコン
１６  ＤＡＣ
１７  アンプ
１８  アナログ映像出力部
１９  ＨＤＭＩ出力部
２０  ＨＤＭＩモニタ
【図１】
2007104159.tif 000003
【図２】
2007104159.tif 000004
【図３】
2007104159.tif 000005
【図４】
2007104159.tif 000006